(57)【要約】      （修正有）【課題】横方向に不適正な色変化を生じることがないレンチキュラー方式によるカラー立体視印刷物等を提供する。【解決手段】  縦方向に向いた複数本のシリンドリカルレンズ１１１が、横方向に連続して並列されてなるレンチキュラーレンズ１１と、レンチキュラーレンズの背面に配置され、各シリンドリカルレンズにそれぞれ対応した、複数の画素列よりなる縦長画像１２１から構成されたカラー網点印刷画像とを備え、カラー網点印刷画像は、複数色の網点が各色それぞれの二次元軸上に形成されるとともに、当該二次元軸の一つが共通の縦軸であり、一画素列を構成する各色の網点の組が同一の前記縦軸上に連続して形成されている。【選択図】図８
2006259645.tif 000002
【特許請求の範囲】
【請求項１】
縦方向に向いた複数本のシリンドリカルレンズが、横方向に連続して並列されてなるレンチキュラーレンズと、
前記レンチキュラーレンズの背面に配置され、前記各シリンドリカルレンズにそれぞれ対応した、複数の画素列よりなる縦長画像から構成されたカラー網点印刷画像と、
を備えたカラー立体視印刷物であって、
前記カラー網点印刷画像は、複数色の網点が各色それぞれの二次元軸上に形成されるとともに、当該二次元軸の一つが縦軸であり、一画素列を構成する各色の網点の組が同一の前記縦軸上に形成されてなることを特徴とするカラー立体視印刷物。
【請求項２】
前記二次元軸が、縦方向および斜方向に向いて形成され、前記各網点が前記二次元軸が作る斜方格子点上に形成されていることを特徴とする請求項１に記載のカラー立体視印刷物。
【請求項３】
前記二次元軸が、縦方向および横方向に直交して形成され、前記各網点が前記二次元軸が作る正方格子点または長方格子点上に形成されていることを特徴とする請求項１または２に記載のカラー立体視印刷物。
【請求項４】
前記一の網点に最も近接した他の網点の色は、当該一の網点の色と異なることを特徴とする請求項１から３に記載のカラー立体視印刷物。
【請求項５】
前記網点は、幅を略一定として、階調に応じて高さを変化させて形成さしたことを特徴とする請求項１から４の何れかに記載のカラー立体視印刷物。
【請求項６】
一画素を構成する各色の網点の組を、各色ｆ個（ｆは正の整数）の縦方向に並ぶ網点により構成し、ｆ個の網点の面積の合計で前記一画素の階調を表すことを特徴とする請求項１から５の何れかに記載のカラー立体視印刷物。
【請求項７】
縦方向に向いた複数のシリンドリカルレンズが横方向に連続して並列されてなるレンチキュラーレンズと、
前記レンチキュラーレンズの背面に配置され、前記各シリンドリカルレンズにそれぞれ対応した、複数の画素列よりなる縦長画像から構成されたモノクロ網点印刷画像と、
を備えたモノクロ立体視印刷物であって、
前記モノクロ網点印刷画像は、網点が二次元軸上に形成されるとともに、当該二次元軸の一つが縦軸であり、一画素列を構成する網点が同一の前記縦軸上に形成されてなることを特徴とするモノクロ立体視印刷物。
【請求項８】
前記二次元軸が、縦方向および斜方向に向いて形成され、前記各網点が前記二次元軸が作る斜方格子点上に形成されていることを特徴とする請求項７に記載のモノクロ立体視印刷物。
【請求項９】
前記二次元軸が、縦方向および横方向に直交して形成され、前記各網点が前記二次元軸が作る正方格子点または長方格子点上に形成されていることを特徴とする請求項７または８に記載のモノクロ立体視印刷物。
【請求項１０】
前記網点は、幅を略一定として、階調に応じて高さを変化させて形成したことを特徴とする請求項７から９の何れかに記載のモノクロ立体視印刷物。
【請求項１１】
一画素を、ｆ個（ｆは正の整数）の縦方向に並ぶ網点により構成し、ｆ個の網点の面積の合計で前記一画素の階調を表すことを特徴とする請求項７から１０の何れかに記載のモノクロ立体視印刷物。
【発明の詳細な説明】
【技術分野】
【０００１】
本発明は、レンチキュラー方式による立体視印刷物を網点印刷する場合のＹＭＣＫの網点の配置技術に関し、横方向に不適正な色変化を生じることがなく、階調を高くして表現することあるいは網点密度を高くして表現することができるカラー立体視印刷物およびモノクロ立体視印刷物に関する。
【背景技術】
【０００２】
レンチキュラー方式（長体レンズ方式）による立体視印刷物は、図１に示すように網点印刷画像９１と、この網点印刷画像９１上に配置されたレンチキュラーレンズ９２とから構成される。レンチキュラーレンズ９２は、縦方向に配置したＭ本のシリンドリカルレンズ９３が横方向に並列して構成される。
【０００３】
網点印刷画像９１の作成には、たとえば、図２に示すように円弧配置した４個のカメラＣ１，Ｃ２，Ｃ３，Ｃ４により撮影した画像が用いられる。
図３（Ａ），（Ｂ），（Ｃ），（Ｄ）は、図２に示したカメラＣ１，Ｃ２，Ｃ３，Ｃ４により、２つの物体Ａ，Ｂを撮影したときの撮影画像Ｇ１，Ｇ２，Ｇ３，Ｇ４をモデル化して示している。
【０００４】
たとえば、立体視印刷物の作成には、まず図４（Ａ），（Ｂ），（Ｃ），（Ｄ）に示すように、撮影画像Ｇ１，Ｇ２，Ｇ３，Ｇ４をそれぞれ縦方向にＭの短冊画像、
ｓ１１，ｓ１２，・・・，ｓ１Ｍ
ｓ２１，ｓ２２，・・・，ｓ２Ｍ
ｓ３１，ｓ３２，・・・，ｓ３Ｍ
ｓ４１，ｓ４２，・・・，ｓ４Ｍ
に分割する。
【０００５】
そして、横方向位置が同一位置の短冊画像を、４つで１つの画像として、Ｍのグループ画像ｇ１，ｇ２，・・・，ｇＭを作成する。
ｇ１：ｓ１１＋ｓ２１＋ｓ３１＋ｓ４１
ｇ２：ｓ１２＋ｓ２２＋ｓ３２＋ｓ４２
ｇ３：ｓ１３＋ｓ２３＋ｓ３３＋ｓ４３
・・・・・・
ｇＭ：ｓ１Ｍ＋ｓ２Ｍ＋ｓ３Ｍ＋ｓ４Ｍ
（ここで、「＋」は短冊画像を並列させることを意味する）
【０００６】
この後、グループ画像ｇ１，ｇ２，・・・，ｇＭを図５（Ａ）に示すように連接し、この連接した画像を、図５（Ｂ）に示すように横方向１／４倍に圧縮して網点印刷画像９１を作成する。
【０００７】
本明細書では、シリンドリカルレンズの背面の画像を縦長画像と称する。図５（Ｂ）の例では、縦長画像ｖ１，ｖ２，ｖ３，・・・，ｖＭは、グループ画像ｇ１，ｇ２，・・・，ｇＭをそれぞれ横方向１／４倍に圧縮した画像である。
画像Ｇ１，Ｇ２，Ｇ３，Ｇ４の短冊画像ｓｘｙ（ｘ＝１，２，・・・，４，ｙ＝１，２，・・・，Ｍ）への分割、各短冊画像ｓｘｙの並列による縦長画像ｇ１〜ｇＭの作成、作成した並列画像ｇ１，ｇ２，・・・，ｇＭの圧縮による縦長画像ｖ１，ｖ２，ｖ３，・・・，ｖＭの作成は、コンピュータ（画像処理装置）上で行うことができる。なお、説明は省略するが、撮影画像の撮影の手法、グループ画像の構成方法については、上記で説明したものは一例であって、上記以外にも様々な方法が知られている。
【０００８】
ところで、スクリーン印刷等では、ＣＭＹＫの４色の網点の大小により、色および階調を表現する。通常、これらの各色の網点格子軸（二軸）の角度が適切に設定されていないと、図６に示すように、モアレが生じる（だたし、図６では、４色を同一モノクロ色に変換して示してある）。
【０００９】
通常、モアレを解消するために、（１）Ｃの網点格子軸：１０５°，Ｍの網点格子軸：７５°，Ｙの網点格子軸：９０°，Ｋの網点格子軸：４５°、あるいは（２）Ｃの網点格子軸：１５°，Ｍの網点格子軸：７５°，Ｙの網点格子軸：９０°，Ｋの網点格子軸：４５°の組み合わせが使用される。
【００１０】
図７（Ａ）に（１）の組み合わせでの、各色での網点を示し、図７（Ｂ）にこれらの角度の網点格子を重ね合せた画像を示す（だたし、図７（Ａ），（Ｂ）では、４色を同一モノクロ色に変換して示してある）。
【００１１】
図７（Ｂ）の画像では、ＡＭスクリーニングにより網点を構成したので、ロゼット・パターン（Ｒｏｓｅｔｔｅ  Ｐａｔｔｅｒｎ）と呼ばれる亀甲模様が現れているが、ＦＭスクリーニングにより網点を構成した場合にはロゼット・パターンは表れない。なお、コンピュータ上でのデジタル処理により印刷画像を網点により構成し、スクリーンを用いずに網点による画像を作り出すことも行われている。
【特許文献１】特開平１１−２７９８号
【発明の開示】
【発明が解決しようとする課題】
【００１２】
ところで、上記の網点配置を用いた立体視印刷物の印刷画像では、視点を横方向にわずかに移動した場合に、図１に示したレンチキュラーレンズ９２を介して見える画像９１に横方向の色変化が生じることがある。
【００１３】
これは、ＣＭＹＫの各色の網点格子軸が互いに異なるからである。換言すると、ＣＭＹＫの各色の網点格子が共通の縦軸を持たないからである。
【００１４】
レンチキュラーレンズ方式で網点印刷画像を採用した場合の画質改善方法として、立体視印刷物のレンズの配列と、網点印刷画像上の各色の網点の配列との間に一定の関連性を持たせ、これによりモアレの発生を防止する技術も知られている（特開平１１−２７９８号）。しかし、この技術でも、上述した視点が横方向にわずかにずれた場合の横方向色変化を解消することはできない。
【００１５】
本発明の目的は、立体視に際して横方向の色変化を生じさせることがないカラー立体視印刷物を提供することにある。
【００１６】
本発明の他の目的は、レンチキュラーレンズの背面に配置される印刷画像の階調表現を高くして表現することあるいは網点密度を高くして表現することができる、カラー立体視印刷物およびモノクロ立体視印刷物を提供することを目的とする。
【課題を解決するための手段】
【００１７】
本発明のカラー立体視印刷物は、
縦方向に向いた複数本のシリンドリカルレンズが横方向に連続して並列されてなるレンチキュラーレンズと、
前記レンチキュラーレンズの背面に配置され、前記各シリンドリカルレンズにそれぞれ対応した、複数の画素列よりなる縦長画像から構成されたカラー網点印刷画像と、
を備えたものであって、
前記カラー網点印刷画像は、複数色の網点が各色それぞれの二次元軸上に形成されるとともに、当該二次元軸の一つが縦軸であり、一画素列を構成する各色の網点の組が同一の前記縦軸上に連続して形成されてなることを特徴とする。ここで、「縦軸」は複数の縦軸の群である。
【００１８】
本発明のカラー立体視印刷物では、前記二次元軸を、縦方向および斜方向に向けて形成し、前記各網点を前記二次元軸が作る斜方格子点上に形成することができる。ここで、二次元軸は複数の縦軸の群と、斜軸の群とからなる。
また、前記二次元軸を、縦方向および横方向に直交して形成し、前記各網点を前記二次元軸が作る正方格子点または長方格子点上に形成することができる。ここで、二次元軸は複数の縦軸の群と、横軸の群とからなる。
【００１９】
本発明のカラー立体視印刷物では、前記一の網点に最も近接した他の網点の色は、当該一の網点の色と異なるように構成できる。
【００２０】
本発明のカラー立体視印刷物では、前記網点は、幅を略一定として、階調に応じて網点の高さを変化させて形成させることができる。
【００２１】
本発明のカラー立体視印刷物では、一画素を構成する各色の網点の組を、各色ｆ個（ｆは正の整数）の網点により構成できる。この場合、ｆ個の網点の面積の合計で一画素の階調を表す。
【００２２】
また、本発明のモノクロ立体視印刷物は、縦方向に向いた複数のシリンドリカルレンズが横方向に連続して並列されてなるレンチキュラーレンズと、
前記レンチキュラーレンズの背面に配置され、前記各シリンドリカルレンズにそれぞれ対応した、複数の画素列よりなる縦長画像から構成されたモノクロ網点印刷画像と、
を備えたものであって、
前記モノクロ網点印刷画像は、網点が二次元軸上に形成されるとともに、当該二次元軸の一つが縦軸であり、一画素列を構成する網点が同一の前記縦軸上に連続して形成されてなることを特徴とする。
【００２３】
本発明のモノクロ立体視印刷物では、前記二次元軸を、縦方向および斜方向に向けて形成し、前記各網点が前記二次元軸が作る斜方格子点上に形成することができる。また、本発明のモノクロ立体視印刷物では、前記二次元軸を、縦方向および横方向に直交して形成し、前記各網点を前記二次元軸が作る正方格子点または長方格子点上に形成することができる。
【００２４】
本発明のモノクロ立体視印刷物では、前記網点は、幅を略一定として、階調に応じて高さを変化させて形成することができる。
【００２５】
本発明のモノクロ立体視印刷物では、一画素をｆ個（ｆは正の整数）の縦方向に並ぶ網点により構成し、ｆ個の網点の面積の合計で前記一画素の階調を表すことができる。
【発明の効果】
【００２６】
本発明のカラー立体視印刷物によれば、立体視に際して横方向の色変化を生じさせることはない。
【００２７】
また、カラー立体視印刷物およびモノクロ立体視印刷物によればレンチキュラーレンズの背面に配置される印刷画像の階調表現を高くすること、あるいは網点密度を高くすることができる。
【好ましい発明の実施の形態】
【００２８】
本発明の立体視印刷物１は、図８に示すように、レンチキュラーレンズ１１と、網点印刷画像１２とを備えている。レンチキュラーレンズ１１は、縦方向に向いた複数のシリンドリカルレンズ１１１が横方向に連続して並列されて構成される。
【００２９】
網点印刷画像１２は、レンチキュラーレンズ１１の背面に配置され、各シリンドリカルレンズ１１１にそれぞれ対応した複数色（本実施形態ではＣＭＹＫの４色）の各網点により形成された複数の画素列よりなる縦長画像１２１からなる。
【００３０】
本実施形態では、網点印刷画像１２のＣＭＹＫの網点が形成される二次元軸は、二次元軸の一つが縦軸（シリンドリカルレンズ１１１に平行な軸）である。
【００３１】
従来技術におけるように、ＣＭＹＫ各色の網点の二次元軸を別個に定義すると、視点を横方向にわずかに移動した場合にレンチキュラーレンズを介して見える画像の横方向の色変化が顕著となることがある。これに対して、本実施形態では二次元軸は、ＣＭＹＫ各色の網点について縦軸が共通に定義されているので、横方向の色変化が顕著となるといった不都合は生じない。
【００３２】
図９（Ａ）に、二次元軸（ここでは、Ａ，Ｂの直交する二軸からなる）を示す。図９（Ｂ）は、二次元軸Ａ−Ｂ上の、ＣＭＹＫの各網点を示している。図９（Ｂ）に示すように、一画素（ＰＩＸ）を構成するＣＭＹＫ各色の網点の組が、縦軸Ａ上に連続して形成されている。また、図９（Ｂ）では、ＣＭＹＫ各色の網点は、それぞれ横方向に全て連続して形成されている。なお、図において、ＣＭＹＫ各色の「Ｃ」は「白抜きの丸」で、「Ｍ」は「マイナス符号付き丸」で、「Ｙ」は「プラス符号付き丸」で、「Ｃ」は「塗潰し丸」で示してある。
【００３３】
図９（Ｃ），（Ｄ），（Ｅ），（Ｆ）は、ＣＭＹＫ各色のスクリーンＳｃ，Ｓｍ，Ｓｙ，Ｓｋに形成された網点を示している。
【００３４】
なお、網点は、後述するようにＡＭスクリーニングにより形成することもできるし、ＦＭスクリーニングにより形成することもできる（図１７（Ａ），（Ｂ）参照）。
【００３５】
図９（Ｂ）の網点の構成では、図９（Ｃ），（Ｄ），（Ｅ），（Ｆ）からわかるように、隣接する同色の網点が近接しているので、網点の大きさが制限されるため、網点の階調を増やすことができない。これを解決するために、網点の隣接行間でＣＭＹＫの各色の組み合わせを変えることができる。
【００３６】
たとえば、図１０（Ｂ）では、ＣＭＹＫの各色の網点は、上から「→Ｃ→Ｍ→Ｙ→Ｋ→」、「→Ｙ→Ｋ→Ｃ→Ｍ→」の順で配置されている。なお、図１０（Ａ）に示すように、図１０（Ｂ）のＣＭＹＫの各色の網点の二次元軸は、図９（Ａ）に示したものと同様、Ａ，Ｂの直交する二軸からなる。
【００３７】
図１０（Ｂ）の網点の構成では、図１０（Ｃ），（Ｄ），（Ｅ），（Ｆ）からわかるように、隣接する同色の網点は近接していない（各色の網点は、各色のスクリーンＳｃ，Ｓｍ，Ｓｙ，Ｓｋ上に平均して分散している）ので、各色の階調（すなわち、網点の孔の面積変化による階調）を増やすことができる。
【００３８】
図１１（Ａ）に、２軸が直交しない二次元軸（ここでは、Ａ軸（縦軸）と、このＡ軸に対して１２０°の角を持つＢ軸からなる）を示す。図１１（Ｂ）は、二次元Ａ−Ｂ軸上の、ＣＭＹＫの各網点を示している。図１１（Ｂ）に示すように、一画素（ＰＩＸ）を構成するＣＭＹＫ各色の網点の組が、Ａ軸上に連続して形成されている。また、図１１（Ｂ）では、ＣＭＹＫ各色の網点が、隣接する列で、網点の中心間距離の１／２だけ縦方向にずれてジグザグに構成されている。
【００３９】
図１１（Ｃ），（Ｄ），（Ｅ），（Ｆ）は、ＣＭＹＫ各色のスクリーンＳｃ，Ｓｍ，Ｓｙ，Ｓｋに形成された網点を示している。図１１（Ｂ）の網点の構成では、図１１（Ｃ），（Ｄ），（Ｅ），（Ｆ）からわかるように、隣接する同色の網点が近接しているので、網点の階調を増やすことができない。これを解決するために、網点の隣接行間でＣＭＹＫの組み合わせを変えることができる。
【００４０】
図１２（Ｂ）でも、図１０（Ｂ）の場合と同様、ＣＭＹＫの各色の網点は、上から「→Ｃ→Ｍ→Ｙ→Ｋ→」，「→Ｙ→Ｋ→Ｃ→Ｍ→」の順で配置されている。
なお、図１２（Ａ）に示すように、各網点の各色それぞれの二次元軸は、図１１（Ａ）に示したものと同様、２軸が直交していない（ここでは、縦軸Ａと、この縦軸Ａに対して１２０°の角を持つＡ，Ｂ軸からなる）。
【００４１】
ところで、一つのシリンドリカルレンズ１１１の幅は、レンチキュラーレンズ１１を通して見たときの一画素（「見た目の一画素」）の横幅に相当する。したがって、「見た目の一画素」の高さが横幅と同じまたは略横幅と同じだとすると、縦長画像１２１の横方向の網点数が多くなればなるほど（すなわち、撮影画像の数が多いほど）、縦方向の網点密度は横方向の網点密度と比較して低くなる（網点の縦方向間隔は横方間隔に対して相対的に長くなる）。
【００４２】
換言するなら、縦長画像１２１の横方向の網点数が多くなればなるほど、図１３（Ａ），図１４（Ａ）に示すように、各色それぞれのスクリーンＳｃ，Ｓｍ，Ｓｙ，Ｓｋ（図９（Ｃ），（Ｄ），（Ｅ），（Ｆ）、図１０（Ｃ），（Ｄ），（Ｅ），（Ｆ）参照）に使用されない領域が増えることになる。
【００４３】
したがって、図１３（Ｂ），図１４（Ｂ）に示すように、一画素を、縦軸に連続した複数のＣＭＹＫの網点の組（図１３（Ｂ），図１４（Ｂ）では２組）で表すようにすれば、高い階調で一画素を表すことができる。たとえば、１つの網点で１２８階調を表現できるとすると、２つの網点では２５６階調を表すことができる。このように複数の網点を用いて、それらの面積の足し算で階調が表せるため、それぞれの網点を小さくすることができる。すなわち、網点の密度を上げることが可能になる。
【００４４】
もちろん、図１３（Ｃ），図１４（Ｃ）に示すように、１つのＣＭＹＫの網点の組で１つの画素を表すようにすれば、縦方向の解像度を横方向の解像度よりも高くする（図１３（Ｃ），図１４（Ｃ）では縦方向解像度は横方向解像度の２倍）ことができる。
【００４５】
このようなことは、モノクロ画像についても言える。モノクロ画像の場合には、図１５（Ａ）に示すように一画素を高い階調で一画素を表すことができるし、図１５（Ｂ）に示すように縦方向の解像度を横方向の解像度よりも高くすることもができる。
【００４６】
上記の実施形態では、説明の便宜上、異なる色の網点は、互いに重ならないことを前提としているが、図１６（Ａ）に示すように、異なる色同士が重なってもよい。
【００４７】
また、上記の実施形態では、各網点は丸い形状で形成してあるが、図１６（Ｂ）に示すように幅が略一定で高さが異なる形状として形成することができる。網点の面積で階調を表すが、階調によって網点の横幅が変化すると、ひとつの網点をシリンドリカルレンズを通して見たときの水平方向の広がりが変化することになる。そこで、網点の幅を略一定にして、階調に応じて網点の高さを変化させることで、ひとつの網点をシリンドリカルレンズを通して見たときの水平方向の広がりを一定に保ったまま、階調表現が可能になる。
【００４８】
さらに、図１６（Ｃ）に示すように、網点の縦方向のピッチを、横方向のピッチに比べて大きくし、または小さくすることもできる。図１６（Ｃ）では、網点の縦方向へのピッチを横方向にピッチに比べて小さくし、見た目の一画素の縦方向のピッチと横方向のピッチを等しくした例を示している。ただし、各色のスクリーン上での網点の縦方向と横方向のピッチは等しくなっている。
【００４９】
上記の図１６（Ｃ）に示した構成を用いて、６００線の密度で網点印刷を行う場合を考える。通常、６００線という密度は色分解後の各色のスクリーン上の網点密度を表し、図１６（Ｃ）の斜め軸方向の密度を表す。したがって、水平方向の網点密度は６００×√２≒８４９線になる。シリンドリカルレンズを３０本／インチの密度で水平方向に並べると、ひとつのシリンドリカルレンズに約２８個の画素列を対応させることが可能になる。ここで、網点の密度が水平方向と垂直方向で同一であるとする。また、「見た目の一画素」の高さと横幅を等しくすると、当該一画素に各色で縦方向に約１４個の網点を対応させることが可能になる。したがって、ひとつの網点で１６階調を表す場合には、一画素で各色２２４階調を表現できることになる。
【００５０】
上記のようにひとつの網点で１６階調を表す場合は、通常はひとつの網点を４×４個のドットの集まりで表現する。この場合に、図１６（B）に示した網点の幅を略一定とする方法を適用すると、ひとつの網点の幅を４ドットとして、縦方向に用いるドット数で階調を表現することになる。図１６（A）に示したように、異なる色の網点は重なってもよいので、４色に対応して縦方向には４×４ドット用いることが可能であり、ひとつの網点で１６階調を表現できる。また、ひとつの網点の幅は最小１ドットまで減らすことができ、シリンドリカルレンズに対応させる画素列の数を増やすことができる。上記の例では画素列の数を約１１３個まで増やすことができる。
【００５１】
上記した網点は、図１７（Ａ）に示すように、集中して形成する（ＡＭスクリーニング形成する）こともできるし、図１７（Ｂ）に示すように、分散して形成する（ＦＭスクリーニングにより形成する）こともできる。すなわち、図１７（Ａ）のＡＭスクリーニングでは、スクリーン上の一網点の形成が許容される領域に単一孔を空けることで形成している。また、図１７（Ｂ）のＦＭスクリーニングではスクリーン材上の、一網点の形成が許容される領域に多数の微細孔を分散して空けることで形成している。
【００５２】
上記の実施形態では、網点の色が上からＣＭＹＫの順番で並ぶ例を示したが、これ以外の順番で並ぶ場合でも、当然、本発明の手法は有効である。
【００５３】
上記の実施形態では、網点への色分解をＣＭＹＫの４色で行う例を示したが、これ以外の色の組み合わせに色分解する場合でも、当然、本発明の手法は有効である。
【図面の簡単な説明】
【００５４】
【図１】従来のレンチキュラー方式による立体視印刷物を示す図である。
【図２】並列配置した４個のカメラＣ１，Ｃ２，Ｃ３，Ｃ４により、立体視印刷物に用いる画像を撮影する様子を示す図である。
【図３】（Ａ），（Ｂ），（Ｃ），（Ｄ）は、図２に示したカメラＣ１，Ｃ２，Ｃ３，Ｃ４により、２つの物体Ａ，Ｂを撮影したときの撮影画像Ｇ１，Ｇ２，Ｇ３，Ｇ４をモデル化して示す図である。
【図４】（Ａ），（Ｂ），（Ｃ），（Ｄ）は、撮影画像Ｇ１，Ｇ２，Ｇ３，Ｇ４をそれぞれ縦方向にＭの短冊画像に分割した様子を示す図である。
【図５】（Ａ）はグループ画像ｇ１，ｇ２，・・・，ｇＭを連接した様子を示す図、（Ｂ）はこの連接した画像を横方向１／４倍に圧縮して作成した網点印刷画像を示す図である。
【図６】従来の網点印刷により生じるモアレを示す図である。
【図７】（Ａ）は網点印刷での各色のモアレが生じないような軸角度で各スクリーンに網点を形成した様子を示す図、（Ｂ）は網点印刷による印刷結果を示す図である。
【図８】本発明におけるカラー立体視印刷物を示す図である。
【図９】カラー立体視印刷物における網点印刷物を作成する際の網点構成の一例を示す図であり、（Ａ）は二次元軸を示す図、（Ｂ）は、二次元軸Ａ−Ｂ上のＣＭＹＫの各網点を示す図、（Ｃ），（Ｄ），（Ｅ），（Ｆ）は、ＣＭＹＫ各色のスクリーンに形成された網点を示す図である。
【図１０】カラー立体視印刷物における網点印刷物を作成する際の網点構成の他の例を示す図であり、（Ａ）は二次元軸を示す図、（Ｂ）は、二次元軸Ａ−Ｂ上のＣＭＹＫの各網点を示す図、（Ｃ），（Ｄ），（Ｅ），（Ｆ）は、ＣＭＹＫ各色のスクリーンに形成された網点を示す図である。
【図１１】カラー立体視印刷物における網点印刷物を作成する際の網点構成の一例を示す図であり、（Ａ）は二次元軸を示す図、（Ｂ）は、二次元軸Ａ−Ｂ上のＣＭＹＫの各網点を示す図、（Ｃ），（Ｄ），（Ｅ），（Ｆ）は、ＣＭＹＫ各色のスクリーンに形成された網点を示す図である。
【図１２】カラー立体視印刷物における網点印刷物を作成する際の網点構成の他の例を示す図であり、（Ａ）は二次元軸を示す図、（Ｂ）は、二次元軸Ａ−Ｂ上のＣＭＹＫの各網点を示す図、（Ｃ），（Ｄ），（Ｅ），（Ｆ）は、ＣＭＹＫ各色のスクリーンに形成された網点を示す図である。
【図１３】図９に示した網点のパターンにおいて縦長画像の横方向の網点数を増加させた網点パターンの説明図であり、（Ａ）は縦長画像の横方向の網点数を増加させたことで、各色それぞれのスクリーンに使用されない領域が増えた様子を示す図、（Ｂ）は一画素を縦軸に連続した複数のＣＭＹＫの網点の組で表すことで高い階調を実現した様子を示す図、（Ｃ）は１つのＣＭＹＫの網点の組で１つの画素を表すようにすることで縦方向の解像度を横方向の解像度よりも高くした様子を示す図である。
【図１４】図１０に示した網点のパターンにおいて縦長画像の横方向の網点数を増加させた網点パターンの説明図であり、（Ａ）は縦長画像の横方向の網点数を増加させたことで、各色それぞれのスクリーンに使用されない領域が増えた様子を示す図、（Ｂ）は一画素を縦軸に連続した複数のＣＭＹＫの組で表すことで高い階調を実現した様子を示す図、（Ｃ）は１つのＣＭＹＫの網点の組で１つの画素を表すようにすることで縦方向の解像度を横方向の解像度よりも高くした様子を示す図である。
【図１５】（Ａ）はモノクロ画像について一画素を縦軸に連続した複数の網点で表すことで高い階調を実現した様子を示す図、（Ｂ）は同じくモノクロ画像について複数の網点の組で１つの画素を表すようにすることで縦方向の解像度を横方向の解像度よりも高くした様子を示す図である。
【図１６】（Ａ）は、異なる色の網点同士が重なった例を示す図、（Ｂ）は網点が縦長に形成された例を示す図、（Ｃ）は網点の縦方向のピッチが、横方向のピッチに比べて小さくなった例を示す図である。
【図１７】（Ａ）はＡＭスクリーニングによる場合の網点の説明図、（Ｂ）はＦＭスクリーニングによる場合の網点の説明図である。
【符号の説明】
【００５５】
１  立体視印刷物
１１  レンチキュラーレンズ
１２  網点印刷画像
１１１  シリンドリカルレンズ
１２１  縦長画像
【図１】
2006259645.tif 000003
【図２】
2006259645.tif 000004
【図３】
2006259645.tif 000005
【図４】
2006259645.tif 000006
【図５】
2006259645.tif 000007
【図６】
2006259645.tif 000008
【図７】
2006259645.tif 000009
【図８】
2006259645.tif 000010
【図９】
2006259645.tif 000011
【図１０】
2006259645.tif 000012
【図１１】
2006259645.tif 000013
【図１２】
2006259645.tif 000014
【図１３】
2006259645.tif 000015
【図１４】
2006259645.tif 000016
【図１５】
2006259645.tif 000017
【図１６】
2006259645.tif 000018
【図１７】
2006259645.tif 000019